(57)【特許請求の範囲】
【請求項１】
所定長さを有する平板状のワイパーブレードと、このワイパーブレードが装着されてヘッドを形成するヘッド本体と、このヘッド本体を保持し、柄が連結されるヘッドホルダとを備えるワイパーであって、
上記ヘッド本体は、全体として棒状を呈しており、かつ、当該ヘッド本体の一般部外周に対して縮径するように段形成されているとともに円柱状外面をもつ被保持部を含み、
上記ヘッド本体には、上記被保持部の周方向における上記円柱状外面の端部から上記被保持部の径方向に起立して上記一般部外周に至るストッパ壁と、上記被保持部の軸方向における上記円柱状外面の端部から上記径方向に起立して上記一般部外周に至る壁部とが形成されており、
上記ヘッドホルダは、上記被保持部の外面と対応する、所定の直径の円筒状内面を有し、かつ、上記被保持部に側方から嵌合して上記被保持部を抱持するクランプ部を含み、
上記クランプ部には、上記円筒状内面の周方向の両端を開口端とする開口が形成され、
上記開口端どうしの離隔距離は、上記直径より小さく、
上記ヘッドは、上記クランプ部によって抱持された状態で、上記ヘッドホルダに対して、上記ヘッド本体の長手方向軸心を中心として所定の角度範囲で回動可能であることを特徴とする、ワイパー。
【請求項２】
上記クランプ部は、上記被保持部の上記一般部外周に対する縮径量と同等の厚みを有する断面略Ｃ字状を呈しており、その一部が上記ストッパ壁に当接して、上記ヘッドの回動角度範囲を規制する、請求項１に記載のワイパー。
【請求項３】
上記クランプ部の側面には、半径方向外側に延びるレバーが設けられている、請求項２に記載のワイパー。
【請求項４】
上記クランプ部は、所定の弾性を有する樹脂により形成されている、請求項１ないし３のいずれかに記載のワイパー。
【請求項５】
上記ヘッド本体は、その長手方向に沿って２分割した第１ヘッド部と、第２ヘッド部とから構成されており、
上記ワイパーブレードは、これら第１ヘッド部と第２ヘッド部との間に狭持されるようにして装着されている、請求項１ないし４のいずれかに記載のワイパー。
【請求項６】
上記第１ヘッド部の内壁には、上記第２ヘッド部に向けて延出し、先端部内壁に内向突起をもつ係合筒が複数設けられているとともに、上記第２ヘッド部の内壁には、上記複数の係合筒と対応して上記第１ヘッド部に向けて延出し、先端に上記内向突起と係合しうる傘状係合部をもつ係合軸が複数設けられており、上記第１ヘッド部と第２ヘッド部とは、上記各係合筒に上記各係合軸を挿入し、上記内向突起と上記傘状係合部とを相互係合させることにより、一体化させられ、
上記ワイパーブレードは、上記各係合筒と対応した複数の貫通孔を有しており、各貫通孔に上記各係合筒を通挿させるようにして、上記第１ヘッド部と第２ヘッド部との間に狭持されている、請求項５に記載のワイパー。
【請求項７】
上記各係合筒は、複数のスリットを有することにより弾性拡開可能となっており、各係合筒に連通して第１ヘッド部の外面に開口させた操作孔から解除用治具を挿入することにより、上記各係合筒を強制拡径させ、上記内向突起と上記傘状係合部との相互係合を解除できるようになっている、請求項６に記載のワイパー。
【請求項８】
上記第１ヘッド部および第２ヘッド部は、それぞれ、所定の弾性を有する樹脂により一体形成されている請求項５ないし７のいずれかに記載のワイパー。
【発明の詳細な説明】
【０００１】
【発明の属する技術分野】
本願発明は、たとえば床面などの被水切り面に溜まった雨水や、水洗した後の汚水を掻き集める際に使用されるワイパーに関する。
【０００２】
この種の従来のワイパーの代表的な構成例を図７に示す。このワイパー１００は、ヘッド本体１０２にワイパーブレード１０１を装着することによりヘッド１１０が形成され、このヘッド１１０を保持するヘッドホルダ１０３に棒状の柄４を連結させて使用される例である。
【０００３】
上記ヘッド本体１０２は、金属板を断面コ字状となるように折り曲げるなどして、長矩形の天板１０２ａの両端縁から互いに対向する一対の側板１０２ｂ…が延出するように形成されている。
【０００４】
上記ワイパーブレード１０１は、弾性を有する部材から平板状に形成されており、所定の長さを有する長矩形を呈している。このワイパーブレード１０１は、上記側板１０２ｂ…間に挟み込まれて、リベットなどによりヘッド本体１０２に固定されている。
【０００５】
上記ヘッドホルダ１０３は、上記ヘッド本体１０２を保持する保持部１３１と、棒状の柄４が連結される柄部１３２とを備えている。保持部１３１は、金属板を断面コ字状となるように折り曲げるなどして、天板１３１ａの両端縁から互いに対向する一対の側板１３１ｂ…が延出するように形成されており、上記ヘッド１１０を側板１３１ｂ…間に挟み込んで、ねじ１３３…などによりこれを固定している。柄部１３２は、柄４の外径と同等の内径を有する円筒状に形成されており、柄４を嵌挿した後、ねじ固定するなどして柄４を連結する。また、柄部１３２は、水切り作業を行いやすくするため、ワイパーブレード１０１の基部を床面などの被水切り面Ｓ（図８，９参照）に対して垂直にしたときに、柄４が被水切り面Ｓに対して適切な角度で傾斜するように、保持部１３１の天板１３１ａに固定されている。
【０００６】
このワイパー１００を使用する際には、ワイパーブレード１０１の長手方向が進行方向に対して垂直となるように柄４を掴んで、被水切り面Ｓ上の水分を押し流すように、あるいは、引き寄せるように操作する。このとき、ワイパーブレード１０１は、弾性を有しているので、その基部を中心として左右同一角度で撓むことができる。これにより、ワイパー１００を引くように操作する場合（図８（ａ））と、押すように操作する場合（図８（ｂ））との両方において、ワイパーブレード１０１の先端部１０１ｂを被水切り面Ｓに対して適切な傾斜角度で傾斜させることができる。その結果、ワイパーブレード１０１が適切な接触圧力で被水切り面Ｓに接触し、被水切り面Ｓ上の水分を効率的に掻き集めることができるのである。
【０００７】
一般に、ワイパーブレード１０１の先端部１０１ｂの被水切り面Ｓに対する傾斜角度θ（以下「作用角θ」という）が大きくなれば、ワイパーブレード１０１の被水切り面Ｓに対する接触圧力が低下するので、被水切り面Ｓ上の水分を効率的に掻き集めることができなくなる。したがって、被水切り面Ｓ上の水分を効率的に掻き集めるためには、作用角θが所定の角度α（以下「水切れ角α」という）以下となることが好ましい。
【０００８】
【発明が解決しようとする課題】
しかしながら、ワイパー１００を長期間使用していくうちにワイパーブレード１０１の先端が摩耗すれば、ワイパーブレード１０１の幅方向長さが短くなってしまう。これにより、ワイパーブレード１０１が撓みにくくなり、作用角θが大きくなる傾向にある。このような際には、このワイパー１００では、柄部１３２が保持部１３１に固定されているので、作用角θを水切れ角α以下とするためには、柄４の被水切り面Ｓに対する傾斜角度ψ（以下「操作角ψ」という）を変化させればならない。より詳細には、ワイパー１００を引くように操作する場合では、図９（ａ）に示すように、水切り作業中において、たとえば腰を曲げて前屈するなど無理な姿勢をとって、操作角ψを小さくしなければならず、体力的な負担が増大する。また、ワイパー１００を押すように操作する場合では、図９（ｂ）に示すように、操作角ψを大きくしなければならず、ワイパー１００を押すように操作するのが困難である。したがって、いずれの場合にせよ、ワイパーブレード１０１が摩耗すれば、被水切り面Ｓ上の水分を効率的に掻き集めることが困難である。
【０００９】
本願発明は、上記した事情のもとで考え出されたものであって、ワイパーブレードが摩耗した際にも、被水切り面上の水分を効率的に掻き集めることが容易であるワイパーを提供することをその課題とする。
【００１０】
【発明の開示】
上記課題を解決するため、本願発明では、次の技術的手段を講じている。
【００１１】
すなわち、本願発明により提供されるワイパーは、所定長さを有する平板状のワイパーブレードと、このワイパーブレードが装着されてヘッドを形成するヘッド本体と、このヘッド本体を保持し、柄が連結されるヘッドホルダとを備えるワイパーであって、上記ヘッド本体は、全体として棒状を呈しており、かつ、当該ヘッド本体の一般部外周に対して縮径するように段形成されているとともに円柱状外面をもつ被保持部を含み、上記ヘッド本体には、上記被保持部の周方向における上記円柱状外面の端部から上記被保持部の径方向に起立して上記一般部外周に至るストッパ壁と、上記被保持部の軸方向における上記円柱状外面の端部から上記径方向に起立して上記一般部外周に至る壁部とが形成されており、上記ヘッドホルダは、上記被保持部の外面と対応する、所定の直径の円筒状内面を有し、かつ、上記被保持部に側方から嵌合して上記被保持部を抱持するクランプ部を含み、上記クランプ部には、上記円筒状内面の周方向の両端を開口端とする開口が形成され、上記開口端どうしの離隔距離は、上記直径より小さく、上記ヘッドは、上記クランプ部によって抱持された状態で、上記ヘッドホルダに対して、上記ヘッド本体の長手方向軸心を中心として所定の角度範囲で回動可能であることを特徴としている。
【００１２】
具体的には、上記クランプ部は、上記被保持部の上記一般部外周に対する縮径量と同等の厚みを有する断面略Ｃ字状を呈しており、その一部が上記ストッパ壁に当接して、上記ヘッドの回動角度範囲を規制する構成とすることができる。
【００１３】
本願発明において、このワイパーを使用する際には、ワイパーブレードの長手方向が進行方向に対して垂直となるように柄を掴んで、床面などの被水切り面上の水分を押し流すように、あるいは、引き寄せるように操作する。このとき、上記ヘッドが上記ヘッド本体の長手方向軸心を中心として所定の角度範囲で回動可能であるので、ワイパーを押すように操作する場合と引くように操作する場合との両方において、柄を被水切り面に対して水切り作業を行いやすい角度で傾斜させたままの状態で、ワイパーブレードの先端部を被水切り面に対して適切な角度で傾斜させることができる。これにより、ワイパーブレードが被水切り面に対して適切な接触圧力で接触し、被水切り面上の水分を効率的に掻き集めることができる。
【００１４】
一般に、ワイパーブレードの先端部の被水切り面に対する傾斜角度θ（以下「作用角θ」という）が大きくなれば、ワイパーブレードの被水切り面に対する接触圧力が低下するので、被水切り面上の水分を効率的に掻き集めることができなくなる。したがって、被水切り面上の水分を効率的に掻き集めるためには、作用角θが所定の角度α（以下「水切れ角α」という）以下となることが好ましい。
【００１５】
従来のワイパーでは、ワイパーブレードが撓むことによって、作用角θが水切れ角α以下となるようにしていたので、ワイパーブレードが摩耗して短くなり、ワイパーブレードが撓みにくくなった際には、たとえば腰を曲げて前屈するなど無理な作業姿勢をとって、柄の被水切り面に対する傾斜角度を変化させなければ、作用角θを水切れ角α以下とすることができなかった。すなわち、ワイパーブレードが摩耗すれば、柄を被水切り面に対して水切り作業を行いやすい角度で傾斜させたままの状態では、被水切り面上の水分を効率的に掻き集めることが困難であった。
【００１６】
しかしながら、本願発明によれば、上記ヘッドが所定の角度範囲で回動可能であるので、ワイパーブレードが摩耗した場合でも、柄を被水切り面に対して水切り作業を行いやすい角度で傾斜させたままの状態で、作用角θを水切れ角α以下にすることが可能である。したがって、被水切り面上の水分を効率的に掻き寄せることが容易である。
【００１７】
なお、上記ヘッドの回動が規制されていない場合では、水切り作業時にワイパーブレードに対して力をかけにくくなるので、かえってワイパーの使い勝手を悪化させてしまうが、本願発明によれば、ヘッドは所定の角度範囲で回動するので、ワイパーの使い勝手が悪化するのを防止することが可能となる。
【００１８】
好ましい実施の形態においては、上記クランプ部の側面には、半径方向外側に延びるレバーが設けられている。
【００１９】
このような構成によれば、上記レバーを操作することによって、上記クランプ部を容易に拡開させることができる。したがって、上記ヘッドと上記ヘッドホルダとを容易に分離させることができる。
【００２０】
好ましい実施の形態においてはまた、上記クランプ部は、所定の弾性を有する樹脂により形成されている。したがって、ワイパーを軽量化することができる。
【００２１】
好ましい実施の形態においてはさらに、上記ヘッド本体は、その長手方向に沿って２分割した第１ヘッド部と、第２ヘッド部とから構成されており、上記ワイパーブレードは、これら第１ヘッド部と第２ヘッド部との間に狭持されるようにして装着されている。
【００２２】
このような構成によれば、上記ヘッド本体を２分割することによって、ワイパーブレードのみを取り外すことができるので、上記ワイパーブレードが摩耗した際には、このヘッド（ヘッド本体＋ワイパーブレード）ごと交換する必要がなく、ランニングコストを低減することができる。
【００２３】
好ましい実施の形態においてはさらにまた、上記第１ヘッド部の内壁には、上記第２ヘッド部に向けて延出し、先端部内壁に内向突起をもつ係合筒が複数設けられているとともに、上記第２ヘッド部の内壁には、上記複数の係合筒と対応して上記第１ヘッド部に向けて延出し、先端に上記内向突起と係合しうる傘状係合部をもつ係合軸が複数設けられており、上記第１ヘッド部と第２ヘッド部とは、上記各係合筒に上記各係合軸を挿入し、上記内向突起と上記傘状係合部とを相互係合させることにより、一体化させられ、上記ワイパーブレードは、上記各係合筒と対応した複数の貫通孔を有しており、各貫通孔に上記各係合筒を通挿させるようにして、上記第１ヘッド部と第２ヘッド部との間に狭持されている。
【００２４】
このような構成によれば、上記ヘッドを組み立てる際には、ねじなど他の接続用部材が必要でない。したがって、製造コストを低減することができる。
【００２５】
好ましい実施の形態においてはさらにまた、上記各係合筒は、複数のスリットを有することにより弾性拡開可能となっており、各係合筒に連通して第１ヘッド部の外面に開口させた操作孔から解除用治具を挿入することにより、上記各係合筒を強制拡径させ、上記内向突起と上記傘状係合部との相互係合を解除できるようになっている。
【００２６】
このような構成によれば、上記解除用治具を用いることにより、上記ヘッド本体を容易に分割することができる。
【００２７】
好ましい実施の形態においてはさらにまた、上記第１ヘッド部および第２ヘッド部は、それぞれ、所定の弾性を有する樹脂により一体形成されている。したがって、ワイパーを軽量化することができる。
【００２８】
本願発明のその他の特徴および利点については、以下に行う発明の実施の形態の説明から、より明らかになるであろう。
【００２９】
【発明の実施の形態】
以下、本願発明の好ましい実施の形態について、図面を参照して具体的に説明する。
【００３０】
図１は、本願発明に係るワイパーの一例を示す概略分解斜視図、図２は、図１のII-II線に沿う断面図、図３は、図１におけるヘッドの分解斜視図、図４は、図３のIV-IV線に沿う断面図である。図５は、図１に示すワイパー使用時におけるワイパーブレードの作用を説明するための断面図であり、（ａ）はこのワイパーを引くように操作する場合について示し、（ｂ）はこのワイパーを押すように操作する場合について示す。図６は、図５におけるワイパーブレードが摩耗した際の作用を説明するための断面図であり、（ａ）はこのワイパーを引くように操作した場合について示し、（ｂ）はこのワイパーを押すように操作した場合について示す。
【００３１】
図１に表れているように、ワイパーＡは、所定長さを有する平板状のワイパーブレード１と、このワイパーブレード１が装着されてヘッド１０を形成するヘッド本体２と、このヘッド本体２を保持し、柄４が連結されるヘッドホルダ３とを備えている。
【００３２】
上記ワイパーブレード１は、所定厚みを有する長矩形を呈しており、図３に示すように、後述する各係合筒２４…と対応した複数の貫通孔１１…を有している。このワイパーブレード１は、本実施形態では、弾性を有する部材から形成され、たとえば、スチレンブタジエンゴムをフォーミングするなどして得られる。このように形成されたワイパーブレード１は、床面などの被水切り面Ｓ上に凹凸があるような場合であっても、その弾性により上記凹凸に追従して変形し、被水切り面Ｓとの接触を維持することができるとともに、ワイパーＡを軽量化することができる。
【００３３】
上記ヘッド本体２は、図１に示すように、全体として棒状を呈しており、円筒状外面をもつ２つの被保持部２１…を有している。各被保持部２１…は、断面略円形の外観を有する一般部２２…を、その周方向に沿った一部において縮径するように段形成されている。また、各被保持部２１…の周方向両端部には、その外面から延びるストッパ壁２３…が立設されている。これらの被保持部２１…は、ヘッド本体２の長手方向中央に対称となるように配置されている。
【００３４】
また、ヘッド本体２は、図３に示すように、その長手方向に沿って２分割した第１ヘッド部２ａと、第２ヘッド部２ｂとから構成されている。第１ヘッド部２ａおよび第２ヘッド部２ｂは、それぞれ、所定の弾性を有する樹脂により一体形成されており、ワイパーＡを軽量化している。
【００３５】
上記第１ヘッド部２ａの内壁には、第２ヘッド部２ｂに向けて延出する複数の係合筒２４…が設けられている。各係合筒２４…の先端部内壁には、図４に示すように、内向突起２４ａが設けられている。各係合筒２４…は、その先端側の内径が基端側の内径よりも小となるように形成されており、その基端側は、第１ヘッド部２ａの外面に開口させた操作孔２４ｂに連通している。また、各係合筒２４…は、図３に示すように、その先端から基端へ延びるスリット２４ｃによって、複数の舌片に分離されており、弾性拡径可能となっている。
【００３６】
上記第２ヘッド部２ｂの内壁には、図３に示すように、上記各係合筒２４…と対応して第１ヘッド部２ａに向けて延出する複数の係合軸２５…が設けられている。各係合軸２５…の先端には、図４に示すように、係合筒２４の先端側の内径と同等の外径を有する傘状係合部２５ａが設けられている。この傘状係合部２５ａの基端側には、これを縮径するように形成された首部２５ｂが連続するように設けられている。
【００３７】
したがって、上記各係合筒２４…に上記各係合軸２５…を押し当てれば、傘状係合部２５ａは、係合筒２４を拡径してその中に挿入され、係合筒２４がその弾性により元の状態に戻った際に上記内向突起２４ａによって首部２５ｂでロックされる。このようにして、傘状係合部２５ａは、内向突起２４ａに係合される。
【００３８】
第１ヘッド部２ａと第２ヘッド部２ｂとを一体化させる際には、図２に示すように、各係合筒２４…に各係合軸２５…を挿入し、内向突起２４ａと傘状係合部２５ａとを相互係合させることにより、容易に行うことができる。このとき、ワイパーブレード１の各貫通孔１１…に各係合筒２４…を通挿させることにより、ワイパーブレード１を第１ヘッド部２ａと第２ヘッド部２ｂとの間に狭持させ、ヘッド１０が構成される。すなわち、ヘッド１０を組み立てる際には、ねじなど他の接続用部材が必要でない。したがって、製造コストを低減することができる。
【００３９】
上記ヘッド１０を分解する際には、図４に示すように、上記係合筒２４の基端側の内径と同等の外径の軸部５ａを有する解除用治具５を用いることができる。すなわち、第１ヘッド２ａの上記操作孔２４ｂから解除用治具５の軸部５ａを挿入すれば、この軸部５ａが係合筒２４の先端側の内壁面を内側から押圧し、係合筒２４を強制拡径することができる。これにより、上記内向突起２４ａと傘状係合部２５ａとの相互係合を解除することができる。さらに、解除用治具５を挿入しつづければ、軸部５ａの先端が傘状係合部２５ａの先端に作用し、上記ヘッド本体２を第１ヘッド部２ａと第２ヘッド部２ｂとに容易に分割することができる。
【００４０】
なお、上記ワイパーブレード１は、その貫通孔１１…に係合筒２４…を通挿しているだけなので、容易に取り外されうる。したがって、ワイパーブレード１を交換する際には、ヘッド１０（ヘッド本体２＋ワイパーブレード１）ごと交換する必要がなく、ランニングコストを低減することができる。
【００４１】
上記ヘッドホルダ３は、図１に示すように、上記ヘッド本体２の被保持部２１に側方から嵌合してこれを抱持する２つのクランプ部３１…と、柄４を連結するための柄部３２とを有している。このヘッドホルダ３は、本実施形態では、所定の弾性を有する樹脂により一体形成されており、ワイパーＡを軽量化している。
【００４２】
上記各クランプ部３１…は、上記被保持部２１の外径と対応した円筒状内面を有しており、本実施形態では、その内径は、被保持部２１の外径と同等とされている。また、各クランプ部３１…は、図２に示すように、断面略Ｃ字状を呈しており、所定の厚みを有している。各クランプ部３１…の周面に沿った長さは、被保持部２１の周面に沿った長さよりも小とされており、その軸心方向長さは、被保持部２１の軸心方向長さと同等とされている。これらのクランプ部３１…は、各被保持部２１…と対応するように配置されている。
【００４３】
上記柄部３２は、図１に示すように、棒状の柄４の外径と同等の内径を有する円筒状に形成されており、柄４は、この柄部３２に嵌合されてヘッドホルダ３に連結される。この柄部３２は、その側面から上記各クランプ部３１…に亘って延びる支持部３３…によって、２つのクランプ部３１…間の上方に固定されている。また、この柄部３２は、図２に示すように、ヘッド１０がヘッドホルダ３に保持された際に、柄４が上記ワイパーブレード１の長手方向に延びる中心平面に対して傾斜するように配置されている。
【００４４】
上記ヘッドホルダ３に上記ヘッド１０を抱持させる際には、上記各クランプ部３１…を上記被保持部２１…の側方から押し当てれば、各クランプ部３１…が弾性拡開し、各被保持部２１…が各クランプ部３１…内に嵌合される。
【００４５】
上述したように、各被保持部２１…が円筒状外面を有し、各クランプ部３１…が被保持部２１の外径と対応した円筒状内面を有しているので、上記ヘッド１０は、図２に示すように、上記クランプ部３１に抱持された状態で、ヘッドホルダ３に対して、上記ヘッド本体の長手方向軸心を中心として回動可能となる。
【００４６】
また、被保持部２１…の周方向両端部には、ストッパ壁２３…が形成されているので、クランプ部３１…の周方向両端部がこのストッパ壁２３…に当接することにより、上記ヘッド１０の回動角度範囲が規制される。なお、本実施形態では、各ストッパ壁２３…は、図２に示すように、柄４を床面などの被水切り面Ｓに対して水切り作業を行いやすい角度（以下「最適操作角β」という）で傾斜させた状態で、ワイパーブレード１が垂直方向を中心に左右同一角度で回動可能なように設けられている。
【００４７】
上記ヘッド１０の上記ヘッドホルダ３からの取り外しは、図１および図２に示すように、上記各クランプ部３１…の側面に、半径方向外側に延びるレバー３４…を設けることにより容易にされうる。すなわち、図２における上方に向って押し上げるようにレバー３４…を操作すれば、大きな力を必要とすることなく容易にクランプ部３１…を拡開することができる。これにより、ヘッド１０とヘッドホルダ３とを容易に分離することができる。
【００４８】
次に、上述したワイパーＡの作用について簡単に説明する。
【００４９】
このワイパーＡを使用する際には、上記ワイパーブレード１の長手方向が進行方向に対して垂直となるように柄４を掴んで、床面などの被水切り面Ｓ上の水分を押し流すように、あるいは、引き寄せるように操作する。このとき、このワイパーＡでは、ワイパーブレード１が弾性を有し、かつ、上記ヘッド１０が、上記ヘッド本体２の長手方向軸心を中心として回動可能であるので、ワイパーブレード１が撓みつつ回動し、図５（ａ）および図５（ｂ）に示すように、柄４を被水切り面Ｓに対して上記最適操作角βで傾斜させたままの状態で、ワイパーブレード１の先端部１ｂを被水切り面Ｓに対して傾斜させることができる。
【００５０】
一般に、被水切り面Ｓ上の水分を効率的に掻き集めるためには、ワイパーブレード１が適切な接触圧力で被水切り面Ｓに接触する必要がある。このためには、ワイパーブレード１の先端部１ｂの被水切り面Ｓに対する傾斜角度θ（以下「作用角θ」という）が、所定の角度α（以下「水切れ角α」という）以下となることが好ましい。
【００５１】
このワイパーＡでは、上述したように、柄４を被水切り面Ｓに対して上記最適操作角βで傾斜させた状態で、ワイパーブレード１が垂直方向を中心に左右同一角度で回動可能なように設けられているので、ワイパーＡを引くように操作する場合（図５（ａ））と、押すように操作する場合（図５（ｂ））との両方において、作用角θを水切れ角α以下にすることが可能となる。したがって、このワイパーＡを用いれば、柄４を被水切り面Ｓに対して上記最適操作角βで傾斜させた状態で、被水切り面Ｓ上の水分を効率的に掻き集めることができる。
【００５２】
このワイパーＡを長期間使用していくうちに、やがてワイパーブレード１の先端が摩耗して、ワイパーブレード１の幅方向長さが短くなってしまう。これにより、ワイパーブレード１が撓みにくくなる。したがって、作用角θが大きくなる傾向にある。このような際には、従来のワイパーでは、柄４の被水切面Ｓに対する傾斜角度ψ（以下「操作角ψ」という）を変化させなければ、作用角θを水切れ角α以下とすることができなかった。より詳細には、ワイパーを引くように操作する場合では、水切り作業中において、たとえば腰を曲げて前屈するなど無理な姿勢をとって、操作角ψを小さくしなければならず、体力的な負担が増大していた。また、ワイパーを押すように操作する場合では、操作角ψを大きくしなければならず、ワイパーを押すように操作するのが困難であった。したがって、いずれの場合においても、従来のワイパーでは、被水切り面Ｓ上の水分を効率的に掻き集めることができなかった。
【００５３】
しかしながら、このワイパーＡでは、ヘッド１０が所定の角度範囲で回動可能であるため、ワイパーブレード１が摩耗して撓みにくくなった際にも、ワイパーＡを引くように操作する場合（図６（ａ））と、押すように操作する場合（図６（ｂ））との両方において、操作角ψを最適操作角βにしたままの状態で、作用角θを水切れ角α以下とすることが可能である。したがって、ワイパーブレード１が摩耗しても、被水切り面Ｓ上の水分を効率的に掻き集めることが容易である。
【００５４】
なお、上記ヘッド１０の回動が規制されていない場合では、水切り作業時にワイパーブレード１に対して力をかけにくくなるので、かえってワイパーの使い勝手を悪化させてしまうが、このワイパーＡでは、ヘッド１０の回動角度範囲が規制されているので、ワイパーの使い勝手が悪化するのを防止することが可能となる。
【００５５】
もちろん、本願発明の範囲は、上述した実施形態に限定されるものではない。たとえば、上記各被保持部２１の外周面に沿って周方向に延びる凸部を形成したりすることによって、ヘッド１０がスムーズに回動することができる構成としてもよい。これにより、水切り作業中において、ワイパーＡを操作する方向を変える際に、この操作に対応して、ヘッド１０が容易に回動することができる。
【００５６】
また、ヘッドホルダの柄部に短尺棒状の柄を取り付けるなどして、ウィンドウ用のワイパとすることもできる。
【図面の簡単な説明】
【図１】本願発明に係るワイパーの一例を示す概略斜視図である。
【図２】図１のII-II線に沿う断面図である。
【図３】図１におけるヘッドの分解斜視図である。
【図４】図３のIV-IV線に沿う断面図である。
【図５】図１に示すワイパー使用時におけるワイパーブレードの作用を説明するための断面図であり、（ａ）はこのワイパーを引くように操作する場合について示し、（ｂ）はこのワイパーを押すように操作する場合について示す。
【図６】図５におけるワイパーブレードが摩耗した際の作用を説明するための断面図であり、（ａ）はこのワイパーを引くように操作した場合について示し、（ｂ）はこのワイパーを押すように操作した場合について示す。
【図７】従来のワイパーの一例を示す概略斜視図である。
【図８】図７に示すワイパー使用時におけるワイパーブレードの作用を説明するための断面図であり、（ａ）はこのワイパーを引くように操作する場合について示し、（ｂ）はこのワイパーを押すように操作する場合について示す。
【図９】図８におけるワイパーブレードが摩耗した際の作用を説明するための断面図であり、（ａ）はこのワイパーを引くように操作した場合について示し、（ｂ）はこのワイパーを押すように操作した場合について示す。
【符号の説明】
１      ワイパーブレード
２      ヘッド本体
２ａ    第１ヘッド部
２ｂ    第２ヘッド部
３      ヘッドホルダ
４      柄
５      解除用治具
１０    ヘッド
２１    被保持部
２３    ストッパ壁
２４    係合筒
２４ａ  内向突起
２４ｂ  操作孔
２４ｃ  スリット
２５    係合軸
２５ａ  傘状係合部
３１    クランプ部
３４    レバー
Ａ      ワイパー
【図１】
0004717997.tif 000002
【図２】
0004717997.tif 000003
【図３】
0004717997.tif 000004
【図４】
0004717997.tif 000005
【図５】
0004717997.tif 000006
【図６】
0004717997.tif 000007
【図７】
0004717997.tif 000008
【図８】
0004717997.tif 000009
【図９】
0004717997.tif 000010